(57)【特許請求の範囲】
【請求項１】
放送局から伝送されてきた、放送される複数の番組のそれぞれを構成するコンポーネントデータとともに、前記複数の番組のそれぞれに関する第１のイベント情報が多重化されている第１のデジタル放送信号を受信する受信手段と、
前記第１のデジタル放送信号に多重化されている前記第１のイベント情報を取得する取得手段と、
前記取得手段により取得された前記第１のイベント情報の表示を制御する表示制御手段と、
前記表示制御手段により表示された前記第１のイベント情報の表示に対する操作内容に応じて、前記複数の番組の中の所定の番組を選択する選択手段と、
前記選択手段により選択された前記番組に関する第２のイベント情報を生成する第１の生成手段と、
前記第１の生成手段により生成された前記第２のイベント情報に基づいて、前記第１のデジタル放送信号を利用して、前記選択手段により選択された前記番組を放送するための第２のデジタル放送信号を生成する第２の生成手段と
を備えることを特徴とする信号処理装置。
【請求項２】
放送局から伝送されてきた、放送される複数の番組のそれぞれを構成するコンポーネントデータとともに、前記複数の番組のそれぞれに関する第１のイベント情報が多重化されている第１のデジタル放送信号を受信する受信ステップと、
前記第１のデジタル放送信号に多重化されている前記第１のイベント情報を取得する取得ステップと、
前記取得ステップの処理で取得された前記第１のイベント情報の表示を制御する表示制御ステップと、
前記表示制御ステップの処理で表示された前記第１のイベント情報の表示に対する操作内容に応じて、前記複数の番組の中の所定の番組を選択する選択ステップと、
前記選択ステップの処理で選択された前記番組に関する第２のイベント情報を生成する第１の生成ステップと、
前記第１の生成ステップの処理で生成された前記第２のイベント情報に基づいて、前記第１のデジタル放送信号を利用して、前記選択ステップの処理で選択された前記番組を放送するための第２のデジタル放送信号を生成する第２の生成ステップと
を含むことを特徴とする信号処理方法。
【請求項３】
放送局から伝送されてきた、放送される複数の番組のそれぞれを構成するコンポーネントデータとともに、前記複数の番組のそれぞれに関する第１のイベント情報が多重化されている第１のデジタル放送信号を受信する受信ステップと、
前記第１のデジタル放送信号に多重化されている前記第１のイベント情報を取得する取得ステップと、
前記取得ステップの処理で取得された前記第１のイベント情報の表示を制御する表示制御ステップと、
前記表示制御ステップの処理で表示された前記第１のイベント情報の表示に対する操作内容に応じて、前記複数の番組の中の所定の番組を選択する選択ステップと、
前記選択ステップの処理で選択された前記番組に関する第２のイベント情報を生成する第１の生成ステップと、
前記第１の生成ステップの処理で生成された前記第２のイベント情報に基づいて、前記第１のデジタル放送信号を利用して、前記選択ステップの処理で選択された前記番組を放送するための第２のデジタル放送信号を生成する第２の生成ステップと
を含むことを特徴とするコンピュータが読み取り可能なプログラムが記録されている記録媒体。
【請求項４】
放送局から伝送されてきた、放送される複数の番組のそれぞれを構成するコンポーネントデータとともに、前記複数の番組のそれぞれに関する第１のイベント情報が多重化されている第１のデジタル放送信号を受信する受信ステップと、
前記第１のデジタル放送信号に多重化されている前記第１のイベント情報を取得する取得ステップと、
前記取得ステップの処理で取得された前記第１のイベント情報の表示を制御する表示制御ステップと、
前記表示制御ステップの処理で表示された前記第１のイベント情報の表示に対する操作内容に応じて、前記複数の番組の中の所定の番組を選択する選択ステップと、
前記選択ステップの処理で選択された前記番組に関する第２のイベント情報を生成する第１の生成ステップと、
前記第１の生成ステップの処理で生成された前記第２のイベント情報に基づいて、前記第１のデジタル放送信号を利用して、前記選択ステップの処理で選択された前記番組を放送するための第２のデジタル放送信号を生成する第２の生成ステップと
を含む処理をコンピュータに実行させることを特徴とするプログラム。
【発明の詳細な説明】
【０００１】
【発明の属する技術分野】
本発明は、信号処理装置および方法、記録媒体、並びにプログラムに関し、特に、再配信されるデジタル放送を生成するのに必要なイベント情報を、正確に、かつ、容易に生成することができるようにした信号処理装置および方法、記録媒体、並びにプログラムに関する。
【０００２】
【従来の技術】
図１は、従来のデジタル放送システムの構成例を示している。
【０００３】
１次送信局１は、番組を構成するコンポーネントデータ（例えば、ビデオデータやオーディオデータ）を、ＭＰＥＧ(Moving Picture Coding Experts Group)２の規格に準拠して圧縮し、電子番組案内情報（ＥＰＧ(Electronic Program Guide)）およびプログラム仕様情報（ＰＳＩ(Program Specific Information)）等とともに多重化して、トランスポートストリームを生成する。１次送信局１は、生成したトランスポートストリームをデジタル放送信号として、アンテナ１１を介して、図示せぬ中継器（トランスポンダ）に向けて送出する。
【０００４】
図２（Ａ）は、中継器Ａに向けて、図２（Ｂ）は、中継器Ｂに向けて、そして図２（Ｃ）は、中継器Ｃに向けて、１次送信局１から送出されたトランスポートストリームを表している。このように各トランスポートストリームには、複数のチャンネルのデータ（そのチャンネルで放送される番組に関するコンポーネントデータ、ＥＰＧ、ＰＳＩ等）が多重化されている。
【０００５】
図１に戻り、２次送信局２は、中継器を介して送信されてきたトランスポートストリーム（図２）を、アンテナ２１を介して受信する。
【０００６】
２次送信局２は、１次送信局１により公表されたまたは連絡があった、１次送信局１からのデジタル放送信号で放送される番組に関するイベント情報（例えば、放送時刻等）（以下、１次送信局１のイベント情報と称する）を参照して、２次送信局２の作業者が編成し、その作業者により入力された、２次送信局２から再配信されるデジタル放送信号を生成するためのイベント情報（以下、２次送信局２のイベント情報と称する）に基づいて、受信したトランスポートストリームから、図３に示すような新たなトランスポートストリームを生成（再構築）する。
【０００７】
また２次送信局２は、地上回線３を介して１次送信局１から送信されてくる１次送信局１のイベント情報を取得し、それに基づいて２次送信局２のイベント情報を生成する。２次送信局２は、生成した２次送信局２のイベント情報に基づいて、受信したトランスポートストリームから新たなトランスポートストリームを再構築する。
【０００８】
２次送信局２は、このようにして生成したトランスポートストリームを、視聴者の図示せぬ装置（例えば、テレビジョン受像機）に送信する。
【０００９】
図４は、２次送信局２の構成例を示している。
【００１０】
Ｎ個の受信機２２−１乃至２２−Ｎ（以下、個々に区別する必要がない場合、単に、受信機２２と称する）のそれぞれは、アンテナ２１を介して入力されるトランスポートストリームを中継器毎に受信し、多重化装置２３に出力する。
【００１１】
多重化装置２３は、制御装置２４の制御に従って、受信機２２−１乃至２２−Ｎから適宜供給されたトランスポートストリームの中の所定の番組に関するデータを多重化し、新たなトランスポートストリームを生成する（図３）。多重化装置２３は、生成したトランスポートストリームを送信装置２６に出力する。
【００１２】
制御装置２４は、端末２５から供給されたイベント情報に基づいて、多重化装置２３における多重化処理を制御する。すなわち、多重化装置２３は、イベント情報に示される番組に関するデータを多重化し、トランスポートストリームを生成する。
【００１３】
端末２５は、１次送信局１により公表されたまたは連絡があった、１次送信局１のイベント情報を参照して、２次送信局２の作業者が編成し、作業者により入力された２次送信局２のイベント情報を制御装置２４に供給する。
【００１４】
また端末２５は、地上回線３を介して１次送信局１から送信されてくる１次送信局１のイベント情報を取得し、それに基づいて、２次送信局２のイベント情報を生成する。端末２５は、生成した２次送信局２のイベント情報を制御装置２４に供給する。
【００１５】
送信装置２６は、多重化装置２３から供給されるトランスポートストリームを、視聴者の装置に送信する。
【００１６】
【発明が解決しようとする課題】
ところで、２次送信局２の作業者が２次送信局２のイベント情報を生成し、端末２５に入力する場合、イベント情報が誤入力され、トランスポートストリームの再構築が正確に行われない課題があった。
【００１７】
また、２次送信局２（端末２５）が、地上回線３を介して１次送信局１から送信されてくる１次送信局１のイベント情報を取得し、それに基づいて２次送信局２のイベント情報を生成する場合、１次送信局１は、２次送信局２の数分だけ、地上回線３を設ける必要があり、そのため、システムが大規模なものになるとともに、コスト高になる課題があった。
【００１８】
本発明はこのような状況に鑑みてなされたものであり、１次送信局１のイベント情報を容易に取得して２次送信局２のイベント情報を生成し、生成した２次送信局２のイベント情報に基づいて、再配信されるトランスポートストリームを正確に生成することができるようにするものである。
【００１９】
【課題を解決するためのステップ】
本発明の信号処理装置は、放送局から伝送されてきた、放送される複数の番組のそれぞれを構成するコンポーネントデータとともに、複数の番組のそれぞれに関する第１のイベント情報が多重化されている第１のデジタル放送信号を受信する受信手段と、第１のデジタル放送信号に多重化されている第１のイベント情報を取得する取得手段と、取得手段により取得された第１のイベント情報の表示を制御する表示制御手段と、表示制御手段により表示された第１のイベント情報の表示に対する操作内容に応じて、複数の番組の中の所定の番組を選択する選択手段と、選択手段により選択された番組に関する第２のイベント情報を生成する第１の生成手段と、第１の生成手段により生成された第２のイベント情報に基づいて、第１のデジタル放送信号を利用して、選択手段により選択された番組を放送するための第２のデジタル放送信号を生成する第２の生成手段とを備えることを特徴とする。
【００２０】
本発明の信号処理方法は、放送局から伝送されてきた、放送される複数の番組のそれぞれを構成するコンポーネントデータとともに、複数の番組のそれぞれに関する第１のイベント情報が多重化されている第１のデジタル放送信号を受信する受信ステップと、第１のデジタル放送信号に多重化されている第１のイベント情報を取得する取得ステップと、取得ステップの処理で取得された第１のイベント情報の表示を制御する表示制御ステップと、表示制御ステップの処理で表示された第１のイベント情報の表示に対する操作内容に応じて、複数の番組の中の所定の番組を選択する選択ステップと、選択ステップの処理で選択された番組に関する第２のイベント情報を生成する第１の生成ステップと、第１の生成ステップの処理で生成された第２のイベント情報に基づいて、第１のデジタル放送信号を利用して、選択ステップの処理で選択された番組を放送するための第２のデジタル放送信号を生成する第２の生成ステップとを含むことを特徴とする。
【００２１】
本発明の記録媒体のプログラムは、放送局から伝送されてきた、放送される複数の番組のそれぞれを構成するコンポーネントデータとともに、複数の番組のそれぞれに関する第１のイベント情報が多重化されている第１のデジタル放送信号を受信する受信ステップと、第１のデジタル放送信号に多重化されている第１のイベント情報を取得する取得ステップと、取得ステップの処理で取得された第１のイベント情報の表示を制御する表示制御ステップと、表示制御ステップの処理で表示された第１のイベント情報の表示に対する操作内容に応じて、複数の番組の中の所定の番組を選択する選択ステップと、選択ステップの処理で選択された番組に関する第２のイベント情報を生成する第１の生成ステップと、第１の生成ステップの処理で生成された第２のイベント情報に基づいて、第１のデジタル放送信号を利用して、選択ステップの処理で選択された番組を放送するための第２のデジタル放送信号を生成する第２の生成ステップとを含むことを特徴とする。
【００２２】
本発明のプログラムは、放送局から伝送されてきた、放送される複数の番組のそれぞれを構成するコンポーネントデータとともに、複数の番組のそれぞれに関する第１のイベント情報が多重化されている第１のデジタル放送信号を受信する受信ステップと、第１のデジタル放送信号に多重化されている第１のイベント情報を取得する取得ステップと、取得ステップの処理で取得された第１のイベント情報の表示を制御する表示制御ステップと、表示制御ステップの処理で表示された第１のイベント情報の表示に対する操作内容に応じて、複数の番組の中の所定の番組を選択する選択ステップと、選択ステップの処理で選択された番組に関する第２のイベント情報を生成する第１の生成ステップと、第１の生成ステップの処理で生成された第２のイベント情報に基づいて、第１のデジタル放送信号を利用して、選択ステップの処理で選択された番組を放送するための第２のデジタル放送信号を生成する第２の生成ステップとを含む処理をコンピュータに実行させることを特徴とする。
【００２３】
本発明の信号処理装置および方法、並びにプログラムにおいては、放送局から伝送されてきた、放送される複数の番組のそれぞれを構成するコンポーネントデータとともに、複数の番組のそれぞれに関する第１のイベント情報が多重化されている第１のデジタル放送信号が受信され、第１のデジタル放送信号に多重化されている第１のイベント情報が取得され、取得された第１のイベント情報の表示が制御され、表示された第１のイベント情報の表示に対する操作内容に応じて、複数の番組の中の所定の番組が選択され、選択された番組に関する第２のイベント情報が生成され、生成された第２のイベント情報に基づいて、第１のデジタル放送信号を利用して、選択された番組を放送するための第２のデジタル放送信号が生成される。
【００２４】
【発明の実施の形態】
図５は、本発明を適用したデジタル放送システムの構成例を示している。このシステムには、図１の２次送信局２に代えて、２次送信局５１が設けられ、地上回線３が取り除かれている。
【００２５】
１次送信局１からは、図２に示したようなトランスポートストリームが送出されるが、以下に、トランスポートストリームのデータ構成について、詳細に説明する。
【００２６】
トランスポートストリームは、図６に示すような１８８バイトのトランスポートパケットにより構成されている。なお、図６は、誤り訂正符号が付加される前のトランスポートパケットを示している。
【００２７】
トランスポートパケットの先頭の４バイトは、パケットヘッダである。パケットヘッダには、パケット内の同期バイト、およびパケットの個別ストリーム（データ列）の属性を示すＰＩＤ(Packet Identification)等が格納されている。
【００２８】
残りの１８４バイトは、データ部であり、そこには、コンポーネントデータ（番組を構成するビデオデータやオーディオデータ等）、ＰＳＩ、またはＥＰＧ等が格納される。
【００２９】
ＰＳＩには、プログラム・アソシエーション・テーブル（ＰＡＴ(Program Association Table)）、およびプログラム・マップ・テーブル（ＰＭＴ(Program Map Table)）等のテーブル類がセクション形式で配置される。
【００３０】
ＰＳＩのＰＭＴには、番組を構成するコンポーネントデータが格納されているトランスポートストリームのＰＩＤ等が格納されている。
【００３１】
ＰＳＩのＰＡＴには、ＰＭＴを伝送するトランスポートストリームのＰＩＤ等が格納されている。
【００３２】
一方、ＥＰＧには、ＥＩＴ(Event Information Table)等が含まれている。そのＥＩＴには、番組名、番組放送日時、番組長さ、視聴が有料かまたは無料かを示す情報、およびコンポーネントデータのフォーマット情報等のイベント情報が格納されている。
【００３３】
なお、以下において、コンポーネントデータがデータ部に格納されているトランスポートパケットを、コンポーネントパケットと称し、ＰＳＩがデータ部に格納されているトランスポートパケットを、ＰＳＩパケットと称し、そしてＥＩＴがデータ部に格納されているトランスポートパケットを、ＥＩＴパケットと称する。
【００３４】
図５に戻り、２次送信局５１は、中継器のそれぞれから送信されてくる、コンポーネントパケット、ＰＳＩパケット、およびＥＩＴパケット等により構成されるトランスポートストリームを受信する。
【００３５】
２次送信局５１は、受信したトランスポートストリームからＥＩＴパケットを抽出し、そこに格納されているイベント情報（１次送信局１のイベント情報）を、端末６２（図８）の表示部１１７（図９）に表示させる。
【００３６】
例えば、図７に示すように、イベント情報が、チャンネル毎（チャンネルＣＨ１乃至ＣＨ４毎）に、番組の放送開始時刻順に表示される。
【００３７】
２次送信局５１の作業者は、端末６２の表示部１１７に表示されたイベント情報の表示を、操作部１１８（図９）を介して操作し、再配信する番組を選択する。例えば、図７の例の場合、７（Ｂ）に示すように、８時から放送される番組として、チャンネルＣＨ１の番組Ａ、９時から放送される番組として、チャンネルＣＨ４の番組Ｂ、そして１０時から放送される番組として、チャンネルＣＨ３の番組Ｃがそれぞれ選択される。
【００３８】
２次送信局５１は、作業者による操作により選択された番組に基づいて、２次送信局５１のイベント情報を生成するとともに、それに基づいて、受信した１次送信局１からのトランスポートストリームを利用して、新たなトランスポートストリームを再構築する。２次送信局５１は、生成したトランスポートストリームを再配信用のデジタル放送信号として、視聴者の装置（図示せず）に送信する。
【００３９】
図８は、２次送信局５１の構成例を示している。２次送信局５１には、図４の２次送信局２の制御装置２４および端末２５に代えて、端末６２および制御装置６３が設けられ、そして抽出装置６１がさらに設けられている。
【００４０】
抽出装置６１は、受信機２２―１乃至２２−Ｎから多重化制御装置２３に出力されるトランスポートストリームからＥＩＴパケットを抽出し、端末６２に出力する。
【００４１】
抽出装置６１はまた、受信機２２−１乃至２２−Ｎから多重化装置２３に出力されるトランスポートストリームからＰＳＩパケットを抽出し、制御装置６３に出力する。
【００４２】
端末６２は、抽出装置６１から供給されたＥＩＴパケットに格納されているイベント情報を編成し、例えば、図７（Ａ）に示したように、チャンネル毎に、放送開始時刻の順番で表示部１１７（図９）に表示させる。
【００４３】
端末６２は、表示部１１７に表示されたイベント情報の表示に対する、２次送信局５１の作業者が操作部１１８を介して行った操作により選択された番組に基づいて、２次送信局５１のイベント情報を生成する。
【００４４】
端末６２は、生成した２次送信局５１のイベント情報とともに、それが格納されたＥＩＴパケットを制御装置６３に供給する。
【００４５】
制御装置６３は、端末６２から供給された２次送信局５１のイベント情報に基づいて多重化装置２３を制御し、再配信されるトランスポートストリームを生成させる。
【００４６】
図９は、端末６２の構成例を示している。CPU（Central Processing Unit）１１１にはバス１１５を介して入出力インタフェース１１６が接続されており、CPU１１１は、入出力インタフェース１１６を介して、作業者から、キーボード、マウスなどよりなる操作部１１８から指令が入力されると、例えば、ROM（Read Only Memory）１１２、ハードディスク１１４、またはドライブ１２０に装着される磁気ディスク１３１、光ディスク１３２、光磁気ディスク１３３、若しくは半導体メモリ１３４などの記録媒体に格納されているプログラムを、RAM（Random Access Memory）１１３にロードして実行する。これにより、上述した各種の処理が行われる。さらに、CPU１１１は、その処理結果を、例えば、入出力インタフェース１１６を介して、LCD（Liquid Crystal Display）などよりなる表示部１１７に必要に応じて出力する。
【００４７】
次に、２次送信局５１の動作を、図１０のフローチャートを参照して説明する。
【００４８】
ステップＳ１において、端末６２のＣＰＵ１１１は、通信部１１９を介して、抽出装置６１から供給されたＥＩＴパケットに格納されているイベント情報（１次送信局１のイベント情報）を編成し、ステップＳ２において、それを表示部１１７に表示させる（図７）。
【００４９】
次に、ステップＳ３において、ＣＰＵ１１１は、再配信される番組が選択されるまで待機する。この例の場合、２次送信局５１の作業者が、表示部１１７に表示されているイベント情報の表示に対して、操作部１１８を介して所定の操作を行うことにより、再配信される番組が選択される。
【００５０】
ステップＳ３で、再配信される番組が選択されたとき、ステップＳ４に進み、ＣＰＵ１１１は、選択された番組を放送するデジタル放送信号を生成するためのイベント情報（２次送信局５１のイベント情報）を生成する。ＣＰＵ１１１はこのとき、生成した２次送信局５１のイベント情報を、抽出装置６１から供給されたＥＩＴパケットに格納する。
【００５１】
次に、ステップＳ５において、端末６２のＣＰＵ１１１は、生成した２次送信局５１のイベント情報およびそれが格納されたＥＩＴパケットを、通信部１１９を介して制御装置６３に供給する。
【００５２】
ステップＳ６において、制御装置６３は、抽出装置６１から供給されたＰＳＩパケットのＰＩＤを、端末６２から供給された２次送信局５１のイベント情報に対応するように変更する。すなわち、再配信されるトランスポートストリームに対応するように変更される。
【００５３】
次に、ステップＳ７において、制御装置６３は、多重化装置２３を制御して、ＰＩＤが変更されたＰＳＩパケット、端末６２から供給されたＥＩＴパケット、および端末６２から供給された２次送信局５１のイベント情報に対応する番組のコンポーネントデータを格納しているコンポーネントパケット等を多重化させ、新たなトランスポートストリームを生成させる。
【００５４】
ステップＳ８において、多重化装置２３は、生成したトランスポートストリームを送信装置２６に供給し、送信装置２６は、それを、再配信されるデジタル放送信号として、視聴者の装置に送信する。
【００５５】
その後、処理は終了する。
【００５６】
以上のように、１次送信局１から送信されてきたトランスポートストリームに含まれるＥＩＴを利用するようにしたので、１次送信局１のイベント情報を容易に取得して２次送信局５１のイベント情報を生成することができるとともに、再配信されるトランスポートストリームを正確に生成することができる。
【００５７】
上述した一連の処理は、ハードウエアにより実行させることもできるが、ソフトウエアにより実行させることもできる。一連の処理をソフトウエアにより実行させる場合には、そのソフトウエアを構成するプログラムが、専用のハードウエアに組み込まれているコンピュータ、または、各種のプログラムをインストールすることで、各種の機能を実行することが可能な、例えば汎用のパーソナルコンピュータなどに、プログラム格納媒体からインストールされる。
【００５８】
この記録媒体は、図９に示すように、コンピュータとは別に、ユーザにプログラムを提供するために配布される、プログラムが記録されている磁気ディスク１３１（フロッピディスクを含む）、光ディスク１３２（CD-ROM（Compact Disk-Read Only Memory），DVD(Digital Versatile Disk)を含む）、光磁気ディスク１３３（MD（Mini-Disk）を含む）、若しくは半導体メモリ１３４などによりなるパッケージメディアにより構成されるだけでなく、コンピュータに予め組み込まれた状態でユーザに提供される、プログラムが記録されているROM１１２やハードディスク１１４などで構成される。
【００５９】
なお、本明細書において、媒体により提供されるプログラムを記述するステップは、記載された順序に沿って時系列的に行われる処理はもちろん、必ずしも時系列的に処理されなくとも、並列的あるいは個別に実行される処理をも含むものである。
【００６０】
また、本明細書において、システムとは、複数の装置により構成される装置全体を表すものである。
【００６１】
【発明の効果】
本発明の信号処理装置および方法、並びにプログラムによれば、放送局から伝送されてきた、放送される複数の番組のそれぞれを構成するコンポーネントデータとともに、複数の番組のそれぞれに関する第１のイベント情報が多重化されている第１のデジタル放送信号を受信し、第１のデジタル放送信号に多重化されている第１のイベント情報を取得し、取得された第１のイベント情報の表示を制御し、表示された第１のイベント情報の表示に対する操作内容に応じて、複数の番組の中の所定の番組を選択し、選択された番組に関する第２のイベント情報を生成し、生成された第２のイベント情報に基づいて、第１のデジタル放送信号を利用して、選択された番組を放送するための第２のデジタル放送信号を生成するようにしたので、第１のイベント情報を容易に取得して第２のイベント情報を生成し、生成した第２のイベント情報に基づいて、第２のデジタル放送信号を正確に生成することができる。
【図面の簡単な説明】
【図１】従来のデジタル放送システムの構成例を示す図である。
【図２】１次送信局１から送信されるトランスポートストリームを表す図である。
【図３】２次送信局２から再配信されるトランスポートストリームを表す図である。
【図４】図１の２次送信局２の構成例を示すブロック図である。
【図５】本発明を適用したデジタル放送システムの構成例を示す図である。
【図６】トランスポートパケットのデータ構造を示す図である。
【図７】イベント情報の表示例を示す図である。
【図８】図５の２次送信局５１の構成例を示すブロック図である。
【図９】図８の端末６２の構成例を示すブロック図である。
【図１０】２次送信局５１の動作を説明するフローチャートである。
【符号の説明】
１  １次送信局，  ２１  アンテナ，  ２２  受信機，  ２３  多重化装置，２６  送信装置，  ５１  ２次送信局，  ６１  抽出装置，  ６２  端末，  ６３  制御装置
【図１】
0004449233.tif 000002
【図２】
0004449233.tif 000003
【図３】
0004449233.tif 000004
【図４】
0004449233.tif 000005
【図５】
0004449233.tif 000006
【図６】
0004449233.tif 000007
【図７】
0004449233.tif 000008
【図８】
0004449233.tif 000009
【図９】
0004449233.tif 000010
【図１０】
0004449233.tif 000011